【手続補正書】
【提出日】平成27年11月4日(2015.11.4)
【手続補正１】
【補正対象書類名】特許請求の範囲
【補正対象項目名】全文
【補正方法】変更
【補正の内容】
【特許請求の範囲】
【請求項１】
無線電力受信装置に共振周波数帯域を用いて無線で電力を伝送する無線電力送信装置における無線電力伝送方法であって、
第１無線電力受信装置を識別するための連結信号を前記無線電力受信装置に伝送するステップと、
前記第１無線電力受信装置から前記連結信号に対応する応答信号を受信して前記第１無線電力受信装置を識別するステップと、
前記識別された第１無線電力受信装置のための前記無線電力送信装置の可用電力量を含む前記無線電力送信装置の状態情報を前記共振周波数帯域と異なる特定の周波数帯域を用いて伝送するステップと、
前記特定の周波数帯域を通じて前記可用電力量内で決定された要求電力量を含む前記第１無線電力受信装置の特定の状態情報を前記第１無線電力受信装置から受信するステップと、
前記特定の状態情報に応じて前記第１無線電力受信装置に前記共振周波数帯域を用いて電力を伝送するステップと、
を含む、無線電力伝送方法。
【請求項２】
前記第１無線電力受信装置に前記電力を伝送する間、第２無線電力受信装置を感知するステップと、
前記第１無線電力受信装置及び感知された前記第２無線電力受信装置にそれぞれ前記無線電力送信装置の第１状態情報と前記無線電力送信装置の第２状態情報を伝送するステップと、
前記第１無線電力受信装置と前記第２無線電力受信装置からそれぞれ前記第１無線電力受信装置の第１特定の状態情報と前記第２無線電力受信装置の第２特定の状態情報を受信するステップと、
を含み、前記無線電力送信装置の第１乃至第２状態情報は、前記第１無線電力受信装置及び前記第２無線電力受信装置のそれぞれに対応して割り当てられた差等的なパワー伝送割合に関する情報を含む、請求項１に記載の無線電力伝送方法。
【請求項３】
前記無線電力送信装置の前記第１状態情報及び前記第２状態情報は、前記第１無線電力受信装置及び前記第２無線電力受信装置をそれぞれ識別するための識別情報を含む、請求項２に記載の無線電力伝送方法。
【請求項４】
前記第１特定の状態情報と前記第２特定の状態情報は、それぞれ前記第１無線電力受信装置及び前記第２無線電力受信装置によって前記差等的なパワー伝送割合に関する情報に基づいて決定された要求電力量を含む、請求項２に記載の無線電力伝送方法。
【請求項５】
前記第１無線電力受信装置と前記第２無線電力受信装置のそれぞれに割り当てられた所定の優先順位に基づいて前記差等的なパワー伝送割合が決定される、請求項２に記載の無線電力伝送方法。
【請求項６】
前記無線電力送信装置に連結された無線電力受信装置の個数が、前記無線電力送信装置によって支援可能な無線電力受信装置の個数を超過するか否かを確認するステップと、
前記確認の結果、超過しない場合、前記第２無線電力受信装置の前記要求電力量に基づいて調節された電力を前記共振周波数帯域を通じて前記第２無線電力受信装置に伝送するステップと、
を含む、請求項４に記載の無線電力伝送方法。
【請求項７】
前記無線電力送信装置が、ブルートゥース、ＮＦＣ（Ｎｅａｒ  Ｆｉｅｌｄ  Ｃｏｍｍｕｎｉｃａｔｉｏｎ）及びジグビーのうちのいずれか１つの両方向近距離無線通信を通じて前記識別された無線電力受信装置と電力伝送条件を折衷する、請求項１に記載の無線電力伝送方法。
【請求項８】
複数の無線電力送信装置のうちの少なくとも１つの無線電力送信装置を選択するための前記複数の無線電力送信装置に対する複数の状態リストを前記識別された第１無線電力受信装置に伝送するステップと、
前記複数の状態リストのうちの少なくとも１つの状態リストを要求する要請信号を前記識別された無線電力受信装置から受信するステップと、
を含み、前記要求された少なくとも１つの状態リストに対応する無線電力送信装置が、前記識別された無線電力受信装置に電力を伝送することを特徴とする、請求項１に記載の無線電力伝送方法。
【請求項９】
無線電力受信装置に共振周波数帯域を用いて無線で電力を伝送する無線電力送信装置であって、
第１無線電力受信装置を識別するための連結信号を前記無線電力受信装置に伝送する伝送ユニットと、
前記第１無線電力受信装置から前記連結信号に対応する応答信号を受信して前記第１無線電力受信装置を識別する識別ユニットと、
前記無線電力送信装置の可用電力量を含む前記無線電力送信装置の状態情報を前記共振周波数帯域と異なる特定の周波数帯域を用いて前記識別された第１無線電力受信装置に伝送し、前記特定の周波数帯域を通じて前記可用電力量内で決定された要求電力量を含む前記第１無線電力受信装置の特定の状態情報を前記第１無線電力受信装置から受信する制御部と、
を含み、前記制御部が、前記特定の状態情報に応じて前記第１無線電力受信装置に前記共振周波数帯域を用いて電力が伝送されるように制御する、無線電力送信装置。
【請求項１０】
前記制御部が、
前記第１無線電力受信装置に前記電力を伝送する間、第２無線電力受信装置が感知されると、前記第１無線電力受信装置及び感知された前記第２無線電力受信装置にそれぞれ前記無線電力送信装置の第１状態情報と前記無線電力送信装置の第２状態情報を伝送し、前記第１無線電力受信装置と前記第２無線電力受信装置からそれぞれ前記第１無線電力受信装置の第１特定の状態情報と前記第２無線電力受信装置の第２特定の状態情報を受信し、前記無線電力送信装置の前記第１状態情報及び前記第２状態情報は、前記第１無線電力受信装置及び前記第２無線電力受信装置のそれぞれに対応して割り当てられた差等的なパワー伝送割合に関する情報を含む、請求項９に記載の無線電力送信装置。
【請求項１１】
前記無線電力送信装置の前記第１状態情報及び前記第２状態情報は、前記第１無線電力受信装置及び前記第２無線電力受信装置をそれぞれ識別するための識別情報を含む、請求項１０に記載の無線電力送信装置。
【請求項１２】
前記第１特定の状態情報と前記第２特定の状態情報は、それぞれ前記第１無線電力受信装置及び前記第２無線電力受信装置によって前記差等的なパワー伝送割合に関する情報に基づいて決定された要求電力量を含む、請求項１０に記載の無線電力送信装置。
【請求項１３】
前記第１無線電力受信装置と前記第２無線電力受信装置のそれぞれに割り当てられた所定の優先順位に基づいて前記差等的なパワー伝送割合が決定される、請求項１０に記載の無線電力送信装置。
【請求項１４】
前記制御部が、
前記無線電力送信装置に連結された無線電力受信装置の個数が、前記無線電力送信装置によって支援可能な無線電力受信装置の個数を超過するか否かを確認し、前記確認の結果、超過しない場合、前記第２無線電力受信装置の前記要求電力量に基づいて調節された電力が前記共振周波数帯域を通じて前記第２無線電力受信装置に伝送されるように制御する、請求項１２に記載の無線電力送信装置。
【請求項１５】
前記制御部が、
複数の無線電力送信装置のうちの少なくとも１つの無線電力送信装置を選択するための前記複数の無線電力送信装置に対する複数の状態リストを前記識別された第１無線電力受信装置に伝送し、前記複数の状態リストのうちの少なくとも１つの状態リストを要求する要請信号を前記識別された無線電力受信装置から受信し、前記要求された少なくとも１つの状態リストに対応する無線電力送信装置が、前記識別された無線電力受信装置に電力を伝送することを特徴とする、請求項９に記載の無線電力送信装置。
【請求項１６】
無線電力送信装置から共振周波数帯域を用いて無線で電力を受信する無線電力受信装置における無線電力受信方法であって、
無線電力受信装置を識別するための連結信号を前記無線電力送信装置から受信するステップと、
前記無線電力送信装置に前記連結信号に対応する応答信号を伝送するステップと、
前記無線電力送信装置の可用電力量を含む前記無線電力送信装置の状態情報を前記共振周波数帯域と異なる特定の周波数帯域を用いて受信するステップと、
前記特定の周波数帯域を通じて前記可用電力量内で決定された要求電力量を含む前記無線電力受信装置の特定の状態情報を送信するステップと、
前記特定の状態情報に相応する電力を前記共振周波数帯域を通じて受信するステップと、
を含む、無線電力受信方法。
【請求項１７】
前記無線電力送信装置によって他の無線電力受信装置が感知されると、
前記無線電力送信装置の第１状態情報を受信するステップをさらに含み、
前記第１状態情報は、前記無線電力送信装置と前記感知された他の無線電力受信装置に対応して割り当てられた差等的なパワー伝送割合に関する情報を含む、請求項１６に記載の無線電力受信方法。
【請求項１８】
前記無線電力送信装置の前記第１状態情報は、前記無線電力受信装置を識別するための識別情報をさらに含む、請求項１７に記載の無線電力受信方法。
【請求項１９】
前記差等的なパワー伝送割合に関する情報に基づいて決定された要求電力量を含む第１特定の状態情報を前記無線電力送信装置に伝送するステップをさらに含む、請求項１７に記載の無線電力受信方法。
【請求項２０】
前記無線電力受信装置と前記感知された他の無線電力受信装置のそれぞれに割り当てられた所定の優先順位に基づいて前記差等的なパワー伝送割合が前記無線電力送信装置によって決定されて受信される、請求項１７に記載の無線電力受信方法。
【請求項２１】
複数の無線電力送信装置のうちの少なくとも１つの無線電力送信装置を選択するための前記複数の無線電力送信装置に対する複数の状態リストを前記無線電力送信装置から受信するステップと、
前記複数の状態リストのうちの少なくとも１つの状態リストを要求する要請信号を前記無線電力送信装置に伝送するステップと、
を含み、前記要求された少なくとも１つの状態リストに対応する無線電力送信装置から電力を受信することを特徴とする、請求項１６に記載の無線電力受信方法。
【請求項２２】
無線電力送信装置から共振周波数帯域を用いて無線で電力を受信する無線電力受信装置であって、
無線電力受信装置を識別するための連結信号を前記無線電力送信装置から受信する受信ユニットと、
前記無線電力送信装置に前記連結信号に対応する応答信号を伝送する伝送ユニットと、
前記無線電力送信装置の可用電力量を含む前記無線電力送信装置の状態情報が前記共振周波数帯域と異なる特定の周波数帯域を通じて前記無線電力送信装置から受信されると、前記特定の周波数帯域を通じて前記可用電力量内で決定された要求電力量を含む前記無線電力受信装置の特定の状態情報を伝送するように制御する制御部と、
を含み、前記特定の状態情報に相応する電力が前記共振周波数帯域を通じて受信されることを特徴とする、無線電力受信装置。
【請求項２３】
前記制御部が、
前記電力が受信される間、前記無線電力送信装置によって他の無線電力受信装置が感知されると、前記無線電力送信装置の第１状態情報を受信し、前記第１状態情報は、前記無線電力送信装置と前記感知された他の無線電力受信装置に対応して割り当てられた差等的なパワー伝送割合に関する情報を含む、請求項２２に記載の無線電力受信装置。
【請求項２４】
前記無線電力送信装置の前記第１状態情報は、前記無線電力受信装置を識別するための識別情報をさらに含む、請求項２３に記載の無線電力受信装置。
【請求項２５】
前記制御部が、
前記差等的なパワー伝送割合に関する情報に基づいて決定された要求電力量が含まれた第１特定の状態情報が前記無線電力送信装置に伝送されるように制御する、請求項２３に記載の無線電力受信装置。
【請求項２６】
前記無線電力受信装置と前記感知された他の無線電力受信装置のそれぞれに割り当てられた所定の優先順位に基づいて前記差等的なパワー伝送割合が前記無線電力送信装置によって決定されて受信される、請求項２３に記載の無線電力受信装置。
【請求項２７】
前記制御部が、
複数の無線電力送信装置のうちの少なくとも１つの無線電力送信装置を選択するための前記複数の無線電力送信装置に対する複数の状態リストを前記無線電力送信装置から受信すると、前記複数の状態リストのうちの少なくとも１つの状態リストを要求する要請信号が前記無線電力送信装置に伝送されるように制御し、前記要求された少なくとも１つの状態リストに対応する無線電力送信装置から電力が受信されることを特徴とする、請求項２２に記載の無線電力受信装置。